(57)【要約】  動作不良を起こしにくい逆流抑制部を有する水洗便器を提供する。水洗便器（１）は、ボウル（２３）と、ボウル（２３）に水を供給する少なくとも１つの吐水口（２５３）と、給水源から供給された水を吐水口（２５３）に供給する給水路（３）と、給水路（３）に設けられた逆流抑制部（４）とを備える。逆流抑制部（４）は、給水路（３）において水の逆流を抑制する。逆流抑制部（４）は、大気に開放し、吐水口（２５３）に直接的に通じる入水口（４２１）と、給水源から送られた水を入水口（４２１）に向かって出す出水口（４６１）とを有する。入水口（４２１）は、出水口（４６１）から出た水の軌跡上に配置され、入水口（４２１）を通った水が吐水口（２５３）に直接的に送られる。
2019097966.tif 000002
【特許請求の範囲】
【請求項１】
汚物を受けるボウルと、
前記ボウルに水を供給する少なくとも１つの吐水口と、
給水源から供給された水を前記吐水口に供給する給水路と、
前記給水路に設けられ、前記給水路において前記水の逆流を抑制する逆流抑制部と、
を備え、
前記逆流抑制部は、
大気に開放し、前記吐水口に直接的に通じる入水口と、
前記給水源から送られた水を前記入水口に向かって出す出水口と、
を有し、
前記入水口は、前記出水口から出た水の軌跡上に配置され、前記入水口を通った水が前記吐水口に直接的に送られる、
水洗便器。
【請求項２】
前記給水路は、前記入水口と前記吐水口との間に拡大部を有し、
前記拡大部の流路断面積は、前記拡大部よりも上流側の流路断面積よりも大きい、
請求項１に記載の水洗便器。
【請求項３】
前記逆流抑制部は、前記出水口と前記入水口との間に、前記出水口から出た水を通す通水孔が形成された少なくとも１つの飛散抑制部を有する、
請求項１又は請求項２に記載の水洗便器。
【請求項４】
前記通水孔の径は、前記出水口の径以上で、かつ前記入水口の径以下に形成されている、
請求項３に記載の水洗便器。
【請求項５】
前記給水路は、前記入水口から下流側に向かって径を小さくする縮径部を有する、
請求項１〜４のいずれか１つに記載の水洗便器。
【請求項６】
前記入水口の周囲に形成され、水平面に対して傾斜した傾斜面を更に備える、
請求項１〜５のいずれか１つに記載の水洗便器。
【請求項７】
少なくとも一部が前記入水口の下方に位置し、水を受ける水受け部を更に備える、
請求項１〜６のいずれか１つに記載の水洗便器。
【請求項８】
前記水受け部はオーバーフロー開口を有し、
前記オーバーフロー開口の下端は、前記入水口の下端よりも下方に位置している、
請求項７に記載の水洗便器。
【請求項９】
前記オーバーフロー開口から流れる水を受ける排水受けを更に備える、
請求項８に記載の水洗便器。
【請求項１０】
前記水受け部に溜まった水を前記ボウルに排水する少なくとも１つの排水路を更に備える、請求項７〜９のいずれか１つに記載の水洗便器。
【請求項１１】
前記飛散抑制部の前記通水孔の周囲のうちの少なくとも一部から、前記軌跡に沿う方向のうちの前記出水口側及び前記入水口側の少なくとも一方に突出する周壁部を更に備える、
請求項３又は請求項４に記載の水洗便器。
【請求項１２】
前記出水口を有する出水管の中心軸が、鉛直線に対して、傾く又は直交している、
請求項１〜１１のいずれか１つに記載の水洗便器。
【発明の詳細な説明】
【技術分野】
【０００１】
本発明は、水洗便器に関し、より詳しくは、給水路における逆流を抑制する構造を有する水洗便器に関する。
【背景技術】
【０００２】
従来、水洗便器において、ボウルに水を供給する吐水口と給水源とをつなぐ給水路にバキュームブレーカが設けられることが知られている（例えば、特許文献１参照）。この特許文献１記載のバキュームブレーカは、入水ポートと、出水ポートと、大気導入口とを備えている。また、バキュームブレーカは、入水ポートと出水ポートとを通じさせるか、出水ポートと大気導入口とを通じさせるかを切り替え可能な可動弁体を有している。可動弁体は、容器に支持されたガイド軸に沿ってガイドされながら動き、入水ポート又は出水ポートの開口周縁の弁座に密着して、いずれかのポートを塞ぐ。【０００３】
ところで、入水ポートと出水ポートとを通る水には、細かいごみや塵等（以下、ごみ等という）が混入することがある。このため、弁座にごみ等が付着することがあり、弁座にごみ等が付着した状態のまま可動弁体が動くと、弁座と可動弁体との間にごみ等が噛み込み、弁座と可動弁体との密着が不十分となって、動作不良を起こす可能性がある。
【先行技術文献】
【特許文献】
【０００４】
【特許文献１】日本国公開特許公報２００４−３０１３２６号公報
【発明の概要】
【０００５】
本発明の目的は、動作不良を起こしにくい逆流抑制部を有する水洗便器を提供することである。
【０００６】
本発明に係る一態様の水洗便器は、汚物を受けるボウルと、前記ボウルに水を供給する少なくとも１つの吐水口と、給水源から供給された水を前記吐水口に供給する給水路と、前記給水路に設けられ、前記給水路において前記水の逆流を抑制する逆流抑制部とを備える。前記逆流抑制部は、入水口と、出水口と、を有する。前記入水口は、大気に開放し、前記吐水口に直接的に通じる。前記出水口は、前記給水源から送られた水を前記入水口に向かって出す。前記入水口は、前記出水口から出た水の軌跡上に配置され、前記入水口を通った水が前記吐水口に直接的に送られる。
【図面の簡単な説明】
【０００７】
【図１】図１は、本発明の一態様の実施形態に係る水洗便器の斜視図である。
【図２】図２は、同上の水洗便器において、逆流抑制部とボウルとを示す斜視図である。
【図３】図３は、同上の逆流抑制部の周辺の鉛直面での断面図である。
【図４】図４は、変形例１に係る逆流抑制部とボウルとを示す斜視図である。
【図５】図５は、同上の逆流抑制部の周辺の鉛直面での断面図である。
【図６】図６は、同上の逆流抑制部の周辺の側面図である。
【図７】図７は、変形例２に係る逆流抑制部周辺の斜視図である。
【図８】図８は、同上の逆流抑制部の周辺の鉛直面での断面図である。
【発明を実施するための形態】
【０００８】
（１）実施形態
本実施形態に係る水洗便器１は、図１に示すように、トイレルーム７に設置される。トイレルーム７の後壁７４には、給水源としての給水管７１が設けられており、給水管７１の端部には止水栓７２が設けられている。また、トイレルーム７の床７５には、排水管７３が設けられている。本実施形態において、水洗便器１は、トイレルーム７に設置された状態では、止水栓７２に配管６１を介して接続部６が接続され、排水管７３に排水トラップ７６を介してボウル２３の排水筒２３２が接続される。止水栓７２と接続部６とが通じることで、水洗便器１の給水路３に対して、給水源からの水を供給し得る。
【０００９】
本実施形態に係る給水管７１は、配水池につながる配水管から、各住宅に分岐された配管である。したがって、給水源である給水管７１から供給される水は、一定の水圧を有している。ただし、実際は、住宅の密集具合又は使用する時間帯等によって、水圧にある程度の変動がある。なお、本実施形態において、給水源は、給水管７１の下流側の端部の止水栓７２を含む。
【００１０】
ここで、本開示において、給水源としては、給水管７１に限らず、例えば、水を溜めたタンクであってもよい。この場合、トイレルーム７内にポンプを設置し、ポンプによってタンクから水を吸い上げてもよいし、タンクを建物の屋上に設置して、位置エネルギを利用してタンクから水を送ってもよい。要するに、本開示に言う「給水源」とは、水洗便器１へ供給される水の供給元を意味し、給水源として水の圧力の有無や、ポンプの有無は問わない。
【００１１】
本実施形態に係る水洗便器１は、便器本体２と、給水路３と、逆流抑制部４と、接続部６とを備えている。以下、図１において、水洗便器１からトイレルーム７の後壁７４に向かう方向でかつ水平面に沿う方向を後方向とし、その反対方向を前方向として定義する。また、水洗便器１に対して前方から後方向に臨む使用者を基準にして左右方向を定義する（図１参照）。
【００１２】
便器本体２は、水洗便器１の主体を構成する。便器本体２は、複数の外側パーツ２１と、内側パーツ２２と、基台２６と、便座（不図示）と、便蓋２７とを備えている。
【００１３】
複数の外側パーツ２１は、水洗便器１の外郭を構成する部品である。外側パーツ２１は、フレーム（不図示）に取り付けられて、水洗便器１の外郭を構成する。本実施形態において、外側パーツ２１は、内側パーツ２２を支持するスカート２１１と、スカート２１１の後側に位置する後部下パーツ２１３と、後部下パーツ２１３の上側に位置する後部上パーツ２１２とを含む。便座及び弁蓋２７は、後部上パーツ２１２に対して左右軸回りに回転可能に取り付けられている。ここで言う「左右軸」とは、左右方向に延びた回転軸を意味し、軸状の部材の有無は問わない。
【００１４】
内側パーツ２２は、外側パーツ２１及び弁蓋２７で囲まれた部分の内部に配置される部品である。内側パーツ２２は、スカート２１１の上端部に支持されている。内側パーツ２２は、図２に示すように、ボウル２３と、吐出部２５と、支持部２４とを備えている。
【００１５】
ボウル２３は、使用者から排泄される汚物を受ける部分である。ボウル２３は、椀状に形成されており、上端に開口面を有し、下端部に排水筒２３２を有している。ボウル２３の内面（以下、ボウル面２３１という場合がある）は、排水筒２３２の前端部に向かって下り傾斜している。吐出部２５から吐出された水は、ボウル面２３１に沿って鉛直軸回りに旋回する。排水筒２３２の後側の端部は、図１に示すように、排水トラップ７６を介して、下水管につながる排水管７３に接続される。
【００１６】
ここで、本開示において、ボウル面２３１で水が「旋回する」とは、ボウル２３の内面に沿って水が鉛直軸回りに沿って移動することを意味し、水が鉛直軸回りに１回転以上移動することはもちろん、１回転に満たない場合も本開示にいう「旋回する」に含まれる。
【００１７】
排水トラップ７６は、臭気や害虫等が排水管７３からボウル２３上に逆流するのを防止する。排水トラップ７６は、いわゆるＳ字状の配管により形成されたＳ字トラップ、又は可動式のトラップ等で構成される。可動式のトラップは、例えば、ボウル２３の排水筒２３２に接続された可とう管の先端を、モータ等により上方に向く状態と下方に向く状態とに切り替える。なお、排水トラップ７６に代えて、ポンプを備えた汚物タンクを設けてもよい。汚物タンクは、排水筒２３２と接続され、ポンプにより汚物を下水管に排出する。
【００１８】
吐出部２５は、ボウル２３の内面に水を供給するための部分である。吐出部２５は、ボウル２３の開口面に隣接して配置されている。吐出部２５は、吐出ノズル２５１と、一対の立上部２５２と、吐水口２５３とを備えている。
【００１９】
吐出ノズル２５１は、給水路３から供給された水を出すノズルである。吐出ノズル２５１は、一対の立上部２５２の間に配置されている。一対の立上部２５２は、吐出ノズル２５１から出された水を、ボウル面２３１に沿って旋回させるように案内する。吐水口２５３は、ボウル２３に水を供給する口である。本実施形態では、吐水口２５３は、吐出ノズル２５１から吐出されて一対の立上部２５２により案内された水を、ボウル２３に供給する、ボウル２３へ臨む開口である。本実施形態において、吐水口２５３は、一対の立上部２５２のうちの、ボウル２３の内側の立上部２５２の端部と、これに対向する（ボウル２３の外側の）立上部２５２の一部とを含む開口面で構成される。
【００２０】
なお、本実施形態において、吐水口２５３は、立上部２５２の端部とこれに対向する立上部２５２の一部とで構成されたが、これに限らない。例えば、吐出ノズル２５１がボウル面２３１に臨む場合、吐出ノズル２５１の先端の開口が吐水口２５３であってもよい。また、吐水口２５３は１つに限らず、１つの吐出ノズル２５１に対して、複数の開口を有するよう構成したり、給水路３を途中で分岐し、それぞれの下流端に吐出ノズル２５１を設けたりしてもよい。開口は孔により構成されてもよい。すなわち、本開示において「吐水口２５３」とは、ボウル面２３１に直接的に水を供給する開口を意味し、本開示に係る水洗便器は、少なくとも１つの吐水口２５３を備えていればよい。
【００２１】
支持部２４は、ボウル２３の開口面の外縁から外側に延び、スカート２１１の上端部に支持される部分である。支持部２４を介して、ボウル２３及び吐出部２５は、外側パーツ２１に固定される。ここで、本開示において、「スカート２１１の上端部」とは、スカート２１１のうち最も高い位置から一定の寸法下の位置までの一定の範囲を有する部分を意味する。
【００２２】
基台２６は、後述の逆流抑制部４を、後部上パーツ２１２の内部に取り付ける部品である。基台２６は、後部上パーツ２１２の内部に配置されている。
【００２３】
給水路３は、給水源から供給された水を吐出部２５に供給するための水の通る経路である。給水路３の上流側の端部は接続部６につながり、給水路３の下流側の端部は吐出ノズル２５１につながっている。給水路３には、給水弁（不図示）が設けられており、給水弁が開くと、給水路３の水が動き、給水弁が閉じると、給水路３を通る水が止まる。また、本実施形態では、給水路３に定流量弁（不図示）が設けられており、一定の流量の水が流れる。これによって、給水源から供給される水の水圧に、ある程度の変動があっても、吐水口２５３からボウル２３に対して、一定の流量の水が供給される。
【００２４】
給水路３には、逆流抑制部４が設けられている。逆流抑制部４は、給水路３において水の逆流を抑制する。これにより、万が一、ボウル２３内の溜め水等の液面が上昇して吐出部２５が当該溜め水等に浸かったときに、給水路３の一部が破損しても、ボウル２３内の溜め水等が給水路３を逆流するのを抑えることができる。
【００２５】
ここで、図３には、逆流抑制部４の周辺の鉛直面での断面を示す。図３に示すように、逆流抑制部４は、貯水槽４１と、出水管４６と、飛散防止カバー４８と、受け槽４９と、保持部５１とを備えている。
【００２６】
貯水槽４１は、大気に開放する開口（この開口を大気開口４３という場合がある）を有する容器（funnel）であり、一定量の水を受けて貯めることができる。貯水槽４１の少なくとも一部（ここでは、貯水槽４１の全部）は、ボウル２３の上端よりも上方に位置している。貯水槽４１は、円筒状の周壁４４と、周壁４４の下端に形成された底壁４５と、底壁４５に設けられた入水管４２と、入水管４２の下端につながる接続管４７とを有している。
【００２７】
周壁４４は、貯水槽４１の外側の壁である。周壁４４は、円筒状に形成されている。周壁４４の中心軸４４１は、水平面に対して傾いている。ここで、本開示にいう「水平面」とは、トイレルーム７の床７５の上面（床面）に平行な面を意味する。言い換えると、「水平面」は、水洗便器１のスカート２１１の下端面を含む平面に平行な面のことである。
【００２８】
底壁４５は、貯水槽４１の下の壁であり、周壁４４の下端につながっている。底壁４５は、円錐台状でかつ筒状（つまりテーパ状）に形成されており、その中心軸４５２が周壁４４の中心軸４４１の延長線上に位置している。つまり、底壁４５の中心軸４５２は、水平面に対して傾いている。底壁４５には入水管４２が接続されている。入水管４２の中心軸４２２は、周壁４４及び底壁４５の中心軸４４１、４５２（以下、貯水槽４１の中心軸４１０という場合がある）の延長線上に位置する。底壁４５の上面（底壁４５の厚み方向のうちの貯水槽４１の内側の面）は、入水管４２に向かって下り傾斜する導水面４５１である。
【００２９】
入水管４２は、底壁４５に接続されている。入水管４２は、入水口４２１を有しており、入水口４２１を介して貯水槽４１に通じている。入水口４２１は、入水管４２の長手方向の上側の端部の開口であり、貯水槽４１の内部に臨んでいる。また、入水口４２１は、吐水口２５３に直接的に通じている。例えば、図２では、貯水槽４１の接続管４７は、両端部間に孔のない管（例えばフレキシブル管）のみを介して、吐出部２５に接続されている。入水口４２１の開口面は、平面であり、鉛直線に対して傾いていて、貯水槽４１の中心軸４１０に直交する。入水管４２は、本実施形態では円筒管であり、入水管４２の中心軸４２２は水平面に対して傾いている。入水管４２の中心軸４２２は、貯水槽４１の中心軸４１０の延長線上に位置している。ここで、本開示にいう「鉛直線」とは、水平面に対して直交する直線である。また、入水管４２の中心軸４２２は、入水口４２１の中心を通る。なお、入水口４２１の開口面について、本実施形態では、中心軸４２２に直交していたが、本開示では、入水口４２１の開口面は中心軸４２２に対して傾いていてもよい。
【００３０】
本開示でいう「直接的に通じる」とは、大気に開放することなく通じていることを意味する。上記実施形態では、入水口４２１は、配管（又はチューブ）を介して、吐出口２５３に通じており、入水口４２１と吐出口２５３との間に、例えばタンク等が設けられていない。
【００３１】
接続管４７は、吐出ノズル２５１と入水管４２とを接続するチューブ等の配管を取り付ける部分である。接続管４７は、入水管４２に対して傾斜しており、水平方向に延びている。接続管４７と入水管４２とのなす角Ｒは鈍角である。
【００３２】
このような構成の貯水槽４１の上方には、貯水槽４１に向かって水を出すための出水管４６が設けられている。出水管４６には給水源から水が供給される。出水管４６は、給水源から送られた水を貯水槽４１に向かって出す出水口４６１を有する。出水管４６は中心軸４６２を有しており、この中心軸４６２は、出水口４６１の中心を通る。
【００３３】
出水口４６１は、出水管４６の下側の端部の開口である。出水口４６１から出た水は、大気に通じる逆流抑制部４内の空間を通る。出水口４６１の開口面は、平面であり、鉛直線に対して傾いている。また、出水口４６１の開口面は、本実施形態では、貯水槽４１の中心軸４１０に直交する。出水口４６１の中心を通る中心軸４６２は、その延長線上に、入水口４２１の中心が位置している。また、中心軸４６２は、鉛直線に対して傾いている。さらに、出水口４６１の開口面は、本実施形態では、入水口４２１の開口面に平行である。なお、出水口４６１の開口面について、本実施形態では、中心軸４６２に直交していたが、本開示では、出水口４６１の開口面は中心軸４６２に対して傾いていてもよい。
【００３４】
このため、本実施形態では、入水口４２１は、出水口４６１から出た水の軌跡上に配置されている。したがって、出水口４６１から出た水は、直接、入水口４２１に入る。ここでいう「直接、入水口４２１に入る」とは、出水口４６１から出た水の少なくとも一部（好ましくは大部分）が、例えば、溝、パイプ又は樋等の他の部材に案内されることなく、入水口４２１に入ることを意味する。
【００３５】
このため、出水口４６１から出た水は、出水口４６１から出た初速をほぼ保ったまま、入水口４２１に入り込み、その勢いをある程度保って吐水口２５３から出る。このため、本実施形態に係る水洗便器１では、貯水槽４１において大気に開放しながらも、給水源からの水圧をある程度維持して、吐水口２５３からボウル面２３１に水を供給することができる。この結果、ボウル面２３１に旋回流を形成することができる。
【００３６】
出水口４６１の径は、入水口４２１の径以下に形成されている。本実施形態では、出水口４６１の径は、入水口４２１の径に対して、３０％以上１００％以下が好ましく、より好ましくは、４０％以上５０％以下である。
【００３７】
これにより、出水口４６１から出た水を、より入水口４２１に入れやすくできる。本実施形態では、出水口４６１の開口面が鉛直線に対して傾いており、出水口４６１から出た水の軌跡は放物線の一部を描く。しかし、出水口４６１の径が入水口４２１の径以下に形成されているため、入水口４２１は出水口４６１から出た水を効果的に受けることができる。
【００３８】
保持部５１は、出水管４６を貯水槽４１に対して保持する。保持部５１は、入水口４２１の開口面に直交する方向に沿って、出水口４６１を移動可能に保持することができる。このため、出水口４６１から出る水が、より効果的に入水口４２１に入るように調整することができる。
【００３９】
逆流抑制部４は、飛散防止カバー４８を備える。飛散防止カバー４８は、貯水槽４１の大気開口４３に向かって飛散する水を受けることができるカバーである。飛散防止カバー４８は、受けた水を貯水槽４１に流すように構成されている。具体的に、本実施形態に係る飛散防止カバー４８は、天板を有する円筒状に形成されており、飛散防止カバー４８の下端部は、貯水槽４１の周壁４４の内側に配置される。逆流抑制部４は、飛散防止カバー４８の下端部と、貯水槽４１の周壁４４との間に、一定の隙間を有し、大気に開放した状態を保っている。
【００４０】
飛散防止カバー４８は、貯水槽４１の大気開口４３の大部分に被さっている。飛散防止カバー４８は、出水管４６に固定されており、貯水槽４１の中心軸４１０に沿って移動可能に構成されている。このため、飛散防止カバー４８と貯水槽４１の周壁４４との間の隙間の大きさを調整することができる。
【００４１】
本実施形態では、飛散防止カバー４８の下端部は、貯水槽４１の上端よりも、貯水槽４１の中心軸４１０方向の下側に位置していたが、これに限らない。つまり、飛散防止カバー４８の下端部は、貯水槽４１の上端よりも、貯水槽４１の中心軸４１０方向の上側に位置してもよい。すなわち、本開示に係る飛散防止カバー４８は、貯水槽４１の内面に当たって飛散した水や、出水管４６から直接飛散した水を受けることができればよい。
【００４２】
受け槽４９は、貯水槽４１の外周を囲む。受け槽４９は、有底円筒状に形成されており、図３に示すように、その中心軸４９１が貯水槽４１の中心軸４１０と同じとなるように、貯水槽４１に固定されている。受け槽４９は、貯水槽４１から溢れた水を受けるための槽であり、受け槽４９の上端面は、貯水槽４１の中心軸４１０方向において、貯水槽４１の上端面よりも上方に位置している。
【００４３】
受け槽４９には、オーバーフロー管５０が接続される。オーバーフロー管５０は、受け槽４９の底に接続されており、受け槽４９で受けた水をボウル２３内に流すことができる。オーバーフロー管５０は、受け槽４９において、最も低い部分（鉛直方向の最も下方に位置する部分）に接続されている。これにより、万が一、ボウル２３内の溜め水等の液面が上昇して吐出部２５が当該溜め水等に浸かって入水管４２に逆流しても、逆流した水は飛散防止カバー４８の下端部と貯水槽４１の周壁４４との間の隙間を通って受け槽４９に流れ込む。そして、受け槽４９に流れ込んだ水は、オーバーフロー管５０から排出される。このため、ボウル２３内の溜め水等が出水管４６に逆流するのを抑えることができる。
【００４４】
このような構成の水洗便器１は、図１に示すように、給水路３に給水源を接続するための接続部６を有している。接続部６は、水洗便器１の外側パーツ２１から露出するように設けられている。本実施形態では、接続部６は、配管６１を接続するための継手である。本実施形態において、接続部６は、止水栓７２に対して、配管６１としてのホースを介して接続される。接続部６を通った水は、タンク等を介すことなく、その水圧を保ったまま、直接的に出水管４６に送られる。すなわち、本開示にいう「接続部６を通った水が給水路３を介して直接的に送られる」とは、接続部６を通った水の水圧を保ったまま出水管４６に送られることを意味する。本実施形態では、給水源が水圧を有するため、給水源の水圧を保ったままの水が、給水路３を介して出水管４６に送られる。ここでいう「水圧を保ったまま」とは、管壁抵抗等の要因で水圧が僅かに変動することも含まれる。したがって、数％程度の誤差が生じても、「水圧を保ったまま」の範疇である。
【００４５】
以上のように、本実施形態に係る水洗便器１は、逆流抑制部４が、大気に開放した部分を有する一方、可動弁体等の駆動機構を有していないため、動作不良を起こしにくい、という利点がある。
【００４６】
（２）変形例
上記実施形態は、本開示の様々な実施形態の一つに過ぎない。上記実施形態は、本開示の目的を達成できれば、設計等に応じて種々の変更が可能である。以下、上記実施形態の変形例を説明する。
【００４７】
（２．１）逆流抑制部の変形例１
変形例１に係る逆流抑制部４ａを図４〜６に示す。本変形例において、上記実施形態と同じ構成については、上記実施形態での符号と同じ符号を付して説明を省略する。なお、変形例１に係る水洗便器１では、以下で説明する構成以外の構成は、実施形態１に係る水洗便器１と同じ構成である。
【００４８】
変形例１に係る水洗便器１は、図４に示すように、給水路３に設けられた逆流抑制部４ａと、水受け部８と、排水受け９とを備える。なお、排水受け９は、本変形例では、実施形態１における基台２６（図１参照）に代えて設置される。
【００４９】
逆流抑制部４ａは、給水路３において水の逆流を抑制する。逆流抑制部４ａは、給水路３に設けられる。逆流抑制部４ａにより、給水路３における水の逆流を抑制することで、上記実施形態と同様に、給水路３の一部が破損しても、ボウル２３（図１参照）内の溜め水等が給水路３を逆流するのを抑えることができる。変形例１において、逆流抑制部４ａは、図５に示すように、出水管４６ａと、入水管４２ａと、接続管４７ａと、飛散抑制部５３と、管支持部５６と、を備える。
【００５０】
出水管４６ａは、給水源から送られた水を入水管４２ａに向かって放出する管である。出水管４６ａは、下流側の端面に出水口４６１を有する。出水口４６１は、出水管４６ａを通る水が出る開口であり、出水口４６１から出た水は大気に通じる逆流抑制部４ａ内の空間を通る。要するに、出水口４６１は、給水源から送られた水を入水口４２１に向かって出す。出水管４６ａは、本変形例では、管支持部５６に設けられている。出水管４６ａの中心軸４６２は、本変形例では、水平面に対して傾いている。
【００５１】
管支持部５６は、出水管４６ａを支持する。管支持部５６は、本変形例では、飛散抑制部５３に設けられており、飛散抑制部５３を介して、水受け部８に取り付けられる。したがって、管支持部５６は、水受け部８に対して固定されている。管支持部５６は、立上板５７と、支持板５８と、を備える。
【００５２】
立上板５７は、出水管４６ａの中心軸４６２に沿った方向のうちの上流側に向かう方向に、飛散抑制部５３から突出する。立上板５７は、飛散抑制部５３と出水口４６１との間に隙間をつくる。立上板５７は、出水管４６ａの中心軸４６２に沿う方向に見て、Ｕ字状に形成されており、本変形例では、最も低い一面に開口５７１を有する。
【００５３】
支持板５８は、出水管４６ａが設けられる板であり、立上板５７の上端に設けられている。支持板５８は、本変形例では、出水管４６ａの中心軸４６２に直交した平板である。支持板５８には貫通孔が形成され、この貫通孔に合わせて出水管４６ａが接続される。これにより、本変形例では、支持板５８の下面と、出水口４６１の開口面とが面一に形成される。
【００５４】
飛散抑制部５３は、出水口４６１から出た水が入水口４２１に入る際に、入水口４２１から飛散した水が出水口４６１に付着することを抑制する。ところで、出水口４６１から出た水が入水口４２１に入る際、入水管４２ａの内部の水圧が高いと、入水口４２１から水が逆流したり、入水口４２１に溜まった水に跳ね返ったりして、水が飛散することがある。そこで、本変形例では、飛散した水が出水口４６１に付着するのを防ぐために、飛散抑制部５３が設けられている。飛散抑制部５３は、入水口４２１から飛散した水を遮ることができる。飛散抑制部５３は、本変形例では、遮水板５４と、垂下片５５とを備える。
【００５５】
遮水板５４は、入水口４２１から飛散した水を遮る。本変形例では、遮水板５４は平板であるが、本開示では平板に限らない。遮水板５４は、少なくとも、入水口４２１に対向する一面を有する。入水口４２１に対向する一面と、入水口４２１とは、一定以上の寸法離れている。変形例では、入水口４２１に対向する一面と、入水口４２１との間の寸法Ｌは、例えば、１５〜３０ｍｍであり、より好ましくは、２０〜２５ｍｍである。
【００５６】
遮水板５４は、本変形例では、出水管４６ａの中心軸４６２に対して直交しており、すなわち、鉛直軸に対して傾いている。遮水板５４は、出水口４６１と入水口４２１との間に配置されている。遮水板５４には通水孔５４１が形成されており、通水孔５４１は、出水口４６１から出た水の軌跡上に配置される。これにより、出水口４６１から出た水は、通水孔５４１を通る。
【００５７】
通水孔５４１の径は、本変形例では、出水口４６１の径以上で、かつ入水口４２１の径以下に形成されている。具体的に、通水孔５４１の径は、出水口４６１の径よりも所定寸法（ここでは、約２ｍｍ）大きい。本変形例では、通水孔５４１の径が、出水口４６１の径以上に形成されていることで、出水口４６１から出た水が通りやすい。一方、通水孔５４１の径が入水口４２１の径以下に形成されていることで、入水口４２１から飛散する水が、通水孔５４１に入るのを抑えることができる。さらに、遮水板５４は鉛直軸に対して傾いているため、遮水板５４に付着した水が付着したままになりにくい。
【００５８】
垂下片５５は、出水管４６ａの中心軸４６２に沿った方向（つまり、水の軌跡に沿う方向）のうち、下流側に向かう方向に、遮水板５４の外周から突出している。すなわち、垂下片５５は、本変形例では、遮水板５４に直交する。
【００５９】
入水管４２ａは、出水口４６１から出た水を受け取り、その水をボウル２３に向かって流す。入水管４２ａは、上流側の端面に入水口４２１を有する。入水口４２１は、ボウル２３に水を供給する吐水口２５３（図２参照）に通じている。入水管４２ａの中心軸４２２は、本変形例では、出水管４６ａの中心軸４６２の延長線上に位置している。要するに、本変形例においても、上記実施形態と同様に、入水口４２１は、出水口４６１から出た水の軌跡上に配置されている。
【００６０】
入水管４２ａは、入水口４２１の周囲に開口端面を有する。この開口端面は、入水口４２１の開口面に平行であり、言い換えると、入水管４２ａの中心軸４２２に対して直交する。開口端面は、鉛直軸に対して傾いている。本実施形態では、この開口端面が傾斜面４２４である。傾斜面４２４に付着した水は、傾斜面４２４に沿って流れ得る。
【００６１】
傾斜面４２４は、本変形例では、入水管４２ａの端面であるが、本開示では、入水口４２１の周囲において、入水管４２ａの端面よりも広い面で構成されてもよい。また、本開示では、入水口４２１の開口面に対して傾斜していてもよい。
【００６２】
入水管４２ａは、上流側の端部に形成された縮径部４２３を有する。縮径部４２３は、入水口４２１から下流側に行くほど径が小さくなる部分である。縮径部４２３は、本変形例では、テーパ状に形成されている。縮径部４２３は、入水管４２ａの中心軸４２２に沿って、入水口４２１から下流側に向かう方向に所定の範囲で形成されている。縮径部４２３は、入水管４２ａの上流側の端部に形成されており、要するに、本変形例では、給水路３に形成されている。
【００６３】
上述の通り、入水管４２ａの内部の水圧が高くなっている場合に、出水口４６１から水が出ると、入水口４２１から出水口４６１に向かって水が飛散し得るが、本変形例では、縮径部４２３が形成されていることで、テーパ状に拡がって水が飛散しやすい。このため、飛散した水は、入水口４２１から離れるに従って径が拡がり、出水口４６１から外れた方向に飛びやすく、飛散水が、出水口４６１に付着するのを抑えることができる。更に本変形例では、出水口４６１と入水口４２１の間に遮水板５４が設けられているため、飛散した水が通水孔５４１を通って出水口４６１に付着するのを抑えることができる。
【００６４】
接続管４７ａは、吐出部２５（図４参照）と入水管４２ａとを接続するチューブ等の配管を取り付ける部分である。接続管４７ａは、上記実施形態と大部分で同じであるが、本変形例では、拡大部４７１を有する点で上記実施形態とは異なる。
【００６５】
拡大部４７１は、入水口４２１と吐水口２５３との間において、下流側ほど流路断面積が広がる部分である。言い換えると、拡大部４７１の流路断面積は、拡大部４７１の上流側の流路断面積よりも、所定の寸法、大きくなっている。拡大部４７１は、本変形例では、経路に沿った方向に直交する面に沿った段差４７２によって、経路断面積が拡大している。ただし、本開示では、拡大部４７１は、下流側に行くほど、連続的に流路断面積が広がるようにテーパ状に形成されてもよい。
【００６６】
本変形例では、給水路３に拡大部４７１が設けられていることで、流れが滞る等して入水管４２ａ内の水圧が高まった場合に、拡大部４７１によって逆流を抑制し得る。特に、本変形例では、拡大部４７１が段差４７２で形成されているため、より効果的に、給水路３のうちの拡大部４７１よりも下流側の位置での逆流を抑制し得る。
【００６７】
このような構成の逆流抑制部４ａは、水受け部８に対して固定されている。水受け部８は、図４に示すように、周壁８１と、底壁８２とを備える。逆流抑制部４ａは、本変形例では、平面視で周壁８１に囲まれており、飛散抑制部５３を伝う水及び入水管４２ａの端面（傾斜面４２４）を伝う水を受けることができる。ただし、本開示では、逆流抑制部４ａは、周壁８１及び底壁８２に囲まれていなくてもよく、少なくとも、飛散抑制部５３を伝う水及び傾斜面４２４を伝う水を受けることができればよい。なお、本開示でいう「平面視」とは、上面から見ることを意味する。
【００６８】
周壁８１は、オーバーフロー開口８１１を有する。オーバーフロー開口８１１は、水受け部８に溜まった水の液面を、一定以下の高さにし得る。本変形例では、オーバーフロー開口８１１は、長方形（正方形を含む）状の切欠きである。ただし、本開示では、周壁８１の高さ方向の中間に形成された孔であってもよく、要するに、切欠きでなくてもよい。
【００６９】
オーバーフロー開口８１１は、図６に示すように、水平面に沿った直線状の下端８１１ａを有する。オーバーフロー開口８１１の下端８１１ａは、入水口４２１の下端よりも下方に位置している。したがって、本変形例では、水受け部８に溜まった水の液面は、入水口４２１よりも下方に位置するため、水受け部８から入水口４２１に水が流れ込むのを抑え得る。
【００７０】
オーバーフロー開口８１１の下端８１１ａは、本変形例では、直線状に形成されているが、本開示では、Ｖ字状やＵ字状に形成されてもよい。
【００７１】
水受け部８には、少なくとも１つの排水路（不図示）が接続される。排水路を流れる水は、ボウル２３に供給される。排水路は、図４に示すように、水受け部８に接続された排水継手８３に対し、チューブ等の配管が接続されることで実現される。水受け部８には、入水管４２ａの傾斜面４２４を流れた水や入水口４２１から飛散した水等の入水口４２１から漏れた水が流れ込む。要するに、本変形例では、排水路は、傾斜面４２４を流れた水をボウル２３に排水し得る。
【００７２】
排水受け９は、オーバーフロー開口８１１から流れる水を受け得る。排水受け９は、本変形例では、平面視において、水受け部８よりも大きく形成されている。排水受け９の外周縁は立ち上がっており、排水受け９で受けた水が外側に流れるのを防ぎ得る。本変形例では、排水受け９で受けた水は、排水路でボウル２３に流される。ただし、本開示では、排水受け９で受けた水は、ボウル２３に限らず、排水トラップ、排水管、又は床面等に流してもよい。
【００７３】
（２．２）逆流抑制部の変形例２
変形例２に係る逆流抑制部４ｂを図７，８に示す。本変形例において、上記実施形態と同じ構成については、上記実施形態での符号と同じ符号を付して説明を省略する。なお、変形例２に係る水洗便器１において、以下で説明する構成以外の構成は、実施形態１に係る水洗便器１と同じ構成である。
【００７４】
変形例２に係る水洗便器１は、図７に示すように、給水路３に設けられた逆流抑制部４ｂと、水受け部８と、を備える。
【００７５】
逆流抑制部４ｂは、給水路３において水の逆流を抑制する。逆流抑制部４ｂは、給水路３に設けられる。逆流抑制部４ｂにより、ボウル２３内の溜め水等の液面が上昇して吐出部２５が当該溜め水等に浸かったときに、給水路３の一部が破損しても、ボウル２３（図１参照）内の溜め水等が給水路３を逆流するのを抑えることができる。変形例２において、逆流抑制部４ｂは、図７に示すように、出水管４６ｂと、入水管４２ｂと、飛散抑制部５３（図８）と、管支持部５６ｂ（図８）と、を備える。
【００７６】
出水管４６ｂは、図８に示すように、給水源から送られた水を入水管４２ｂ（水を逆流抑制部４ｂから出す管）に向かって出す管である。出水管４６ｂは、水を逆流抑制部４６ｂに入れる管である。出水管４６ｂは、下流側の端面に出水口４６１を有する。出水口４６１は、出水管４６ｂを通る水が出る開口であり、給水源から送られた水を入水口４２１に向かって出す。出水管４６ｂは、本変形例では、水受け部８の底面に対し、管支持部５６ｂを介して取り付けられている。出水管４６ｂの中心軸４６２ｂは、本変形例では、水平面に沿っており、鉛直線（鉛直面）に対して直交している。出水管４６ｂの出水口４６１側の端部における内周面４６３は、出水口４６１側に行くに従って流路断面積が小さくなるようにテーパ状に形成されている。これにより、出水口４６１から出る水の流速を比較的大きくすることができる。
【００７７】
入水管４２ｂは、出水口４６１から出た水を受け取り、その水をボウル２３に向かって流す。入水管４２ｂは、上流側の端面に入水口４２１を有する。入水口４２１は、ボウル２３に水を供給する吐水口２５３（図２参照）に通じている。入水管４２ｂの中心軸４２２ｂは、水平面に沿っており、出水管４６ｂの中心軸４６２ｂの延長線上に位置している。要するに、本変形例においても、上記実施形態と同様に、入水口４２１は、出水口４６１から出た水の軌跡上に配置されている。入水口４２１は、入水管４２ｂの中心軸４２２ｂに対して傾斜している。入水口４２１の開口面の傾斜は、水の軌跡に沿う方向において、下方に行くに従って出水口４６１に近づくように、水平面に対して傾斜する。そのため、出水口４６１から出た水の軌跡が放物線を描いても、当該水を入水口４２１で効果的に受けることができる。
【００７８】
飛散抑制部５３は、出水口４６１から出た水が入水口４２１に入る際に、飛散した水が出水口４６１に付着することを抑制する。飛散抑制部５３は、本変形例では、出水口４６１と入水口４２１との間に配置されている。飛散抑制部５３は、本変形例では、第一遮水板５４ａと、第二遮水板５４ｂと、を備える。
【００７９】
第一遮水板５４ａは、入水口４２１に面する板であり、入水口４２１から飛散した水を受ける板である。第一遮水板５４ａは、鉛直面に沿っており、入水管４２ｂ及び出水管４６ｂの中心軸に交差（ここでは、直交）している。本変形例では、入水口４２１の開口面は、第一遮水板５４ａに対して傾斜している。第一遮水板５４ａには、第一通水孔５４１ａ（通水孔５４１）が形成されている。第一通水孔５４１ａは、第一遮水板５４ａを貫通している。第一通水孔５４１ａの径は、本変形例では、出水口４６１の径以上で、かつ入水口４２１の径以下に形成されている。
【００８０】
第二遮水板５４ｂは、出水口４６１及び第一遮水板５４ａに面する板であり、出水口４６１から出た水が第一遮水板５４ａに跳ね返って飛散した水や、入水口４２１で跳ね返って第一遮水板５４ａの第一通水孔５４１ａを通過した水を受ける板である。第二遮水板５４ｂは、鉛直面に沿っており、入水管４２ｂ及び出水管４６ｂの中心軸４６２ｂに交差（ここでは、直交）している。つまり、本変形例では、第二遮水板５４ｂは、第一遮水板５４ａに平行である。第二遮水板５４ｂには、第二通水孔５４１ｂ（通水孔５４１）が形成されている。第二通水孔５４１ｂは、第二遮水板５４ｂを貫通している。第二通水孔５４１ｂの径は、本変形例では、出水口４６１の径以上で、かつ入水口４２１の径以下に形成されている。本変形例では、第二通水孔５４１ｂの径は、第一通水孔５４１ａの径と同じであるが、第一通水孔５４１ａの径に対して小さくてもよいし、大きくてもよい。
【００８１】
通水孔５４１（第一通水孔５４１ａ、第二通水孔５４１ｂ）の周囲には、周壁部５４２が形成されている。周壁部５４２は、通水孔５４１の周囲のうちの少なくとも一部から、水の軌跡に沿う方向のうちの出水口４６１側及び入水口４２１側の少なくとも一方に突出する。本変形例では、第一通水孔５４１ａに対応する周壁部５４２は、第一通水孔５４１ａの周囲の全周から、水の軌跡に沿う方向のうちの出水口４６１側と入水口４２１の両方に向かって突出している。また、第二通水孔５４１ｂに対応する周壁部５４２は、第二通水孔５４１ｂの周囲の全周から、水の軌跡に沿う方向のうちの出水口４６１側に向かって突出している。
【００８２】
ただし、第一通水孔５４１ａに対応する周壁部は、第一通水孔５４１ａの周囲の全周から、水の軌跡に沿う方向のうちの入水口４２１側のみに向かって突出してもよいし、水の軌跡に沿う方向の出水口４６１側のみに突出してもよい。また、第二通水孔５４１ｂに対応する周壁部５４２は、第二通水孔５４１ｂの周囲の全周から、水の軌跡に沿う方向のうちの入水口４２１側に向かって突出してもよいし、水の軌跡に沿う方向の両側に突出してもよい。また、周壁部５４２は、通水孔５４１（第一通水孔５４１ａ、第二通水孔５４１ｂ）の周囲の一部にのみ形成されてもよい。
【００８３】
周壁部５４２が第一通水孔５４１ａの入水口４２１側の面の周囲に設けられていると、出水口４６１から出た水が入水口４２１に入る際に、入水口４２１の周辺に跳ね返って飛散した水が覆い壁５９と第一遮水板５４ａに沿って拡散しても、周壁部５４２と衝突して下方に落下する。また、当該水が第一遮水板５４ａを伝って流れても、周壁部５４２によって第一通水孔５４１ａに入らない。この結果、入水口４２１の周辺で跳ね返った水が、第一通水孔５４１ａを通過して出水口４６１側に逆流することを、更に抑制することができる。
【００８４】
逆流抑制部４ｂは、覆い壁５９を有する。覆い壁５９は、出水口４６１から出た水が、入水口４２１及び飛散抑制部５３に跳ね返って、外部に飛散するのを抑制する。ここでいう「外部」とは、逆流抑制部４ｂの外側を意味し、便器本体２の外側パーツ２１の内部であっても構わない。覆い壁５９は、第一覆い壁５９１と、第二覆い壁５９２と、第三覆い壁５９３と、を備える。
【００８５】
第一覆い壁５９１は、出水口４６１の先端と、第二遮水板５４ｂと、をつなぐ。第二覆い壁５９２は、第二遮水板５４ｂと、第一通水孔５４１ａに対応する周壁部５４２の先端と、をつなぐ。第三覆い壁５９３は、第一遮水板５４ａと、入水管４２ｂの端部とをつなぐ。
【００８６】
覆い壁５９又は飛散抑制部５３に跳ね返った水は、水受け部８で受けられる。水受け部８には、少なくとも一つの排水路が接続される。排水路は、例えば、水受け部８に接続された排水継手８３に対し、チューブ等の配管が接続されることで実現される。排水路を流れる水は、変形例１と同様、ボウル２３に流れる。ただし、排水路は、例えば、排水トラップ７６、排水管７３等に接続されてもよい。また、排水路を流れる水を、直接、床面に向かって排出してもよい。水受け部８は、周壁８１ａを有している。逆流抑制部４ｂは、図７に示すように、平面視において、周壁８１ａの内側に配置されている。
【００８７】
水洗便器１は、平面視において水受け部８の内部に設けられたオーバーフロー部９１を有する。オーバーフロー部９１は、オーバーフロー開口８１１を有する。オーバーフロー開口８１１は、水受け部８に設けられた排水路だけでは排水能力が足りない場合に、水受け部８に溜まった水を排出するよう、水受け部８の底面より少し高い位置に設けられている。本変形例では、オーバーフロー部９１は円筒状に形成されており、オーバーフロー部９１の上端の開口面がオーバーフロー開口８１１である。
【００８８】
オーバーフロー開口８１１に入った水は、床面に向かって流される。ただし、オーバーフロー開口８１１に入った水は、床面に流される例に限らず、例えば、ボウル２３、排水トラップ７６、排水管７３等に向かって流してもよい。
【００８９】
（２．３）その他の変形例
以下、上記実施形態のその他の変形例を列挙する。以下に説明する変形例は、適宜組み合わせて適用可能である。
【００９０】
上記実施形態及び変形例に係る入水口４２１の開口面は、出水口４６１の開口面に対して、平行でかつ互いの中心が一直線上に位置したが、これに限らない。本開示では、例えば、出水口４６１から出る水が放物線を描く場合には、入水口４２１は、放物線上のいずれかの点に位置していればよい。
【００９１】
また、上記実施形態及び変形例に係る出水管４６の中心軸４６２と入水管４２の中心軸４２２は、鉛直線に対して直交又は傾いていたが、鉛直線に平行であってもよい。上記実施形態及び変形例では、入水口４２１及び出水口４６１の開口面は鉛直線に対して平行又は傾いていたが、本開示では、鉛直線に対して直交していてもよい。この場合、貯水槽４１で飛散した水は入水口４２１に入り込みやすいものの、出水口４６１から出る水の勢いが減衰するのをできる限り抑えながら、入水口４２１に水を入れることができる。
【００９２】
上記実施形態に係る水洗便器１は、床７５に設置される水洗便器１であったが、本開示では、床７５と離れ、かつ後壁７４に固定された、いわゆるフロート便器であってもよい。また、水洗便器１は、床置きの可搬型の便器であってもよい。床置きの可搬型の便器とは、床７５に対して固定することなく、床７５に置くだけの水洗便器１である。
【００９３】
水洗便器１としては、局部を洗浄する局部洗浄装置を有してもよいし、有さなくてもよい。また、上記実施形態に係る水洗便器１は、入水口４２１が貯水槽４１の底壁４５と連続するように設けられたが、入水口４２１（入水管４２）が底壁４５より貯水槽４１側に突出するように設けられてもよい。この場合、底壁４５に沿って入水管４２に混入する空気の吸い込みを減らし、より安定した給水を行うことができる。
【００９４】
変形例では、オーバーフロー開口８１１から流れる水は、排水受け９で受けられたが、本開示では、排水受け９はなくてもよい。その場合、オーバーフロー開口８１１から流れる水は、例えば、排水路に沿って、排水トラップ、排水管、又は床面等に流してもよい。
【００９５】
変形例では、水受け部８に、１つの排水路が設けられたが、本開示では、複数の排水路が水受け部８に設けられてもよい。要するに、排水路は、少なくとも１つあればよい。
【００９６】
変形例では、飛散抑制部５３は、板状の遮水板５４で入水口４２１からの水の飛散を抑制したが、本開示では、遮水板５４に限らず、例えば、布又は膜等であってもよい。また、飛散抑制部５３は、変形例では、１つ又は２つの遮水板５４を有したが、３つ以上の遮水板５４を有していてもよい。複数の遮水板５４が経路方向に重なると、入水口４２１から飛散する水がより一層、出水口４６１に届きにくくて好ましい。
【００９７】
変形例では、傾斜面４２４を流れた水は、水受け部８で受けられた後に、排水路に排水されたが、本開示では、傾斜面４２４を流れた水を、直接、排水路に流すように構成してもよい。
【００９８】
（３）態様
第１の態様に係る水洗便器（１）は、ボウル（２３）と、ボウル（２３）に水を供給する少なくとも１つの吐水口（２５３）と、給水源から供給された水を吐水口（２５３）に供給する給水路（３）と、給水路（３）に設けられた逆流抑制部（４，４ａ，４ｂ）とを備える。逆流抑制部（４，４ａ，４ｂ）は、給水路（３）において水の逆流を抑制する。逆流抑制部（４，４ａ，４ｂ）は、大気に開放し、吐水口（２５３）に直接的に通じる入水口（４２１）と、給水源から送られた水を入水口（４２１）に向かって出す出水口（４６１）とを有する。入水口（４２１）は、出水口（４６１）から出た水の軌跡上に配置され、入水口（４２１）を通った水が吐水口（２５３）に直接的に送られる。
【００９９】
この態様によれば、入水口（４２１）が大気に開放しているため、給水路（３）における逆流を抑えることができる。また、出水口（４６１）から出た水を、直接、入水口（４２１）に入り込ませることができるため、吐水口（２５３）から供給する水に水圧を与えることができる。この結果、逆流抑制部（４，４ａ，４ｂ）が、可動弁体等の駆動機構を有していないため、動作不良を起こしにくい。
【０１００】
第２の態様に係る水洗便器（１）では、第１の態様において、給水路（３）は、入水口（４２１）と吐水口（２５３）との間に拡大部（４７１）を有し、拡大部（４７１）の流路断面積は、拡大部（４７１）よりも上流側の流路断面積よりも（所定寸法）大きい。
【０１０１】
この態様によれば、給水路（３）において、拡大部（４７１）よりも下流側で流れが滞って水圧が高くなった場合に逆流が生じても、拡大部（４７１）で逆流を抑制することができる。この結果、入水口（４２１）から水が飛散するのを抑制できる。
【０１０２】
第３の態様に係る水洗便器（１）では、第１又は第２の態様において、逆流抑制部（４ａ，４ｂ）は、出水口（４６１）と入水口（４２１）との間に、少なくとも１つの飛散抑制部（５３）を有する。飛散抑制部（５３）は、出水口（４６１）から出た水を通す通水孔（５４１，５４１ａ，５４１ｂ）が形成される。
【０１０３】
この態様によれば、仮に、入水口（４２１）から水が飛散しても、飛散抑制部（５３）により、飛散した水が出水口（４６１）に付着するのを抑制できる。
【０１０４】
第４の態様に係る水洗便器（１）では、第３の態様において、通水孔（５４１，５４１ａ，５４１ｂ）の径は、出水口（４６１）の径以上で、かつ入水口（４２１）の径以下に形成されている。
【０１０５】
この態様によれば、通水孔（５４１，５４１ａ，５４１ｂ）の径が、出水口（４６１）の径以上に形成されていることで、出水口（４６１）から出た水を通水孔（５４１，５４１ａ，５４１ｂ）に通しやすい。通水孔（５４１，５４１ａ，５４１ｂ）の径が入水口（４２１）の径以下に形成されていることで、入水口（４２１）から飛散する水が、通水孔（５４１）に入るのを抑制できる。
【０１０６】
第５の態様に係る水洗便器（１）では、第１〜４のいずれか１つの態様において、給水路（３）は、入水口（４２１）から下流側に向かって径を小さくする縮径部（４２３）を有する。
【０１０７】
この態様によれば、入水口（４２１）から飛散する水を、テーパ状に飛散させやすく、飛散した水が出水口（４６１）に付着するのを抑制できる。
【０１０８】
第６の態様に係る水洗便器（１）では、第１〜５のいずれか１つの態様において、入水口（４２１）の周囲に形成された傾斜面（４２４）を更に備える。傾斜面（４２４）は、水平面に対して傾斜する。
【０１０９】
この態様によれば、出水口（４６１）から出た水の一部が、入水口（４２１）の周囲に付着しても、入水口（４２１）の周囲に付着したままになるのを抑制できる。この結果、入水口（４２１）の周囲に付着した水に対して、出水口（４６１）から出た水が当たった場合に、水が飛散するのを抑制できる。
【０１１０】
第７の態様に係る水洗便器（１）では、第１〜６のいずれか１つの態様において、少なくとも一部が入水口（４２１）の下方に位置し、水を受ける水受け部（８）を更に備える。
【０１１１】
この態様によれば、入水口（４２１）に入らなかった水が意図しない箇所に溢れるのを抑制できる。
【０１１２】
第８の態様に係る水洗便器（１）では、第７の態様において、水受け部（８）はオーバーフロー開口（８１１）を有する。オーバーフロー開口（８１１）の下端は、入水口（４２１）の下端（８１１ａ）よりも下方に位置している。
【０１１３】
この態様によれば、水受け部（８）に水が溜まっても、溜まった水が入水口（４２１）に入るのを抑制できる。
【０１１４】
第９の態様に係る水洗便器（１）では、第８の態様において、オーバーフロー開口（８１１）から流れる水を受ける排水受け（９）を更に備える。
【０１１５】
この態様によれば、オーバーフロー開口（８１１）から流れる水が意図しない箇所に溢れるのを抑制できる。
【０１１６】
第１０の態様に係る水洗便器（１）では、第７〜９のいずれか１つの態様において、受け部（８）に溜まった水をボウル（２３）に排水する少なくとも１つの排水路を更に備える。
【０１１７】
この態様によれば、入水口（４２１）に入らなかった水を、給水路（３）とは別の経路でボウル（２３）に流すことができ、衛生上の利点がある。
【０１１８】
第１１の態様に係る水洗便器（１）では、第３又は第４の態様において、周壁部（５４２）を更に備える。周壁部（５４２）は、飛散抑制部（５３）の通水孔（５４１，５４１ａ，５４１ｂ）の周囲のうちの少なくとも一部から、水の軌跡に沿う方向のうちの出水口（４６１）側及び入水口（４２１）側の少なくとも一方に突出する。
【０１１９】
この態様によれば、入水口４２１周辺で跳ね返った水が、第一通水孔５４１ａを通過して出水口４６１側に逆流することを、特に抑制することができる。
【０１２０】
第１２の態様に係る水洗便器（１）は、第１〜１１のいずれか１つの態様において、出水口（４６１）を有する出水管（４６，４６ａ，４６ｂ）の中心軸（４６２，４６２ｂ）が、鉛直線に対して傾いている。
【０１２１】
この態様によれば、入水口（４２１）側から逆流等した水が飛んでも、飛んだ水が出水口（４６１）に入り込むのを抑えることができる。
【０１２２】
第１３の態様に係る水洗便器（１）は、第１〜１２のいずれか１つの態様において、出水口（４６１）の径が、入水口（４２１）の径以下である。
【０１２３】
この態様によれば、出水口（４６１）から出た水を、効果的に入水口（４２１）に入れることができる。
【０１２４】
第１４の態様に係る水洗便器（１）は、第１〜１３のいずれか１つの態様において、入水口（４２１）を有する入水管（４２，４２ａ，４２ｂ）の中心軸（４２２）が、鉛直線に対して傾く、又は直交している。
【０１２５】
この態様によれば、出水口（４６１）から出た水が、入水口（４２１）に入った後、入水口（４２１）につながる配管（上記実施形態では入水管（４２）及び接続管（４７））において、スムーズに流れる。このため、この態様によれば、吐水口（２５３）までに生じる圧力損失を抑えることができる。
【０１２６】
第１５の態様に係る水洗便器（１）は、第１〜５、１１〜１４のいずれか１つの態様において、大気に開放する大気開口（４３）を有する貯水槽（４１）を備える。水洗便器（１）は、貯水槽（４１）の内側から大気開口（４３）側に向かって飛散する水を受け、かつ受けた水を貯水槽（４１）に流すように構成された飛散防止カバー（４８）を更に備える。
【０１２７】
この態様によれば、出水口（４６１）から出た水が、貯水槽（４１）の内面に跳ね返って、大気開口（４３）に向かって飛散しても、飛散防止カバー（４８）で受けることができ、水の漏れを抑えることができる。
【０１２８】
第１６の態様に係る水洗便器（１）は、第１〜５、１１〜１５のいずれか１つの態様において、大気に開放する大気開口（４３）を有する貯水槽（４１）を備える。貯水槽（４１）は、入水口（４２１）に向かって下り傾斜する導水面（４５１）を有する。
【０１２９】
この態様によれば、出水口（４６１）から出た水のうち、入水口（４２１）に入らなかった水も、導水面（４５１）に沿って入水口（４２１）に流すことができ、水の滞留を抑えることができる。
【０１３０】
第１７の態様に係る水洗便器（１）は、第１〜５、１１〜１６のいずれか１つの態様において、給水路（３）につながり給水源に接続される接続部（６）を更に備える。出水口（４６１）から出る水は、接続部（６）を通った水が給水路（３）を介して直接的に送られるように構成される。
【０１３１】
この態様によれば、給水源における水圧を活かしながら、吐水口（２５３）からボウル（２３）に水を供給することができるため、ボウル（２３）に勢いよく水を流すことができる。
【０１３２】
第２〜第１７の態様に係る構成については、水洗便器（１）に必須の構成ではなく、適宜省略可能である。
【符号の説明】
【０１３３】
１            水洗便器
２３          ボウル
２５３        吐水口
３            給水路
４，４ａ，４ｂ      逆流抑制部
４２１        入水口
４２３        縮径部
４２４        傾斜面
４６，４６ａ，４６ｂ    出水管
４６１        出水口
４７１        拡大部
５３          飛散抑制部
５４１，５４１ａ，５４１ｂ    通水孔
５４２        周壁部
７１          給水管（給水源）
８            水受け部
８１１        オーバーフロー開口
８１１ａ      下端
９            排水受け
【図１】
2019097966.tif 000003
【図２】
2019097966.tif 000004
【図３】
2019097966.tif 000005
【図４】
2019097966.tif 000006
【図５】
2019097966.tif 000007
【図６】
2019097966.tif 000008
【図７】
2019097966.tif 000009
【図８】
2019097966.tif 000010
【国際調査報告】
2019097966.tif 000011
2019097966.tif 000012
2019097966.tif 000013
2019097966.tif 000014